(57)【要約】【課題】接続端子をマットシールに抵抗無く挿通することができ、その後にマットシールで止水が行えるコネクタおよびワイヤハーネスを提供すること。【解決手段】マットシール４を挟んで第１のコネクタ本体２と第２のコネクタ本体３とを有し、第１，第２のコネクタ本体２，３をロック具５でロックし、第１のコネクタ本体２には、接続端子８を個別に挿通させる接続端子挿通孔２ａを有し、マットシール４には、接続端子８を挿通させる複数の接続端子シール用挿通孔４ａを有し、第２のコネクタ本体３には、接続端子収容孔３ａを有し、第１のコネクタ本体２と第２のコネクタ本体３とを互いに接近させることによりマットシール４を圧縮した状態で、第１のコネクタ本体２と第２のコネクタ本体３との距離をロックすると、接続端子シール用挿通孔４ａが縮径し電線７に全周密着する。【選択図】図１
2016184544.tif 000002
【特許請求の範囲】
【請求項１】
硬質樹脂で成形された第１のコネクタ本体および第２のコネクタ本体と、
可撓性を有する樹脂で成形され、前記第１のコネクタ本体と前記第２のコネクタ本体に挟まれるマットシールと、
前記第１のコネクタ本体と前記マットシールと前記第２のコネクタ本体とを重ねた状態で一体にロックするロック具と、を備え、
前記第１のコネクタ本体は、電線群の各電線の端部に接続された接続端子を個別に挿通させる複数の接続端子挿通孔を有し、
前記マットシールは、前記第１のコネクタ本体の前記各接続端子挿通孔に挿通される前記各接続端子を引き続いて挿通させる複数の接続端子シール用挿通孔を有し、
前記第２のコネクタ本体は、前記マットシールの前記各接続端子シール用挿通孔に挿通される前記各接続端子を収容するとともに反対側から雄端子を挿入させる接続端子収容孔を有し、
前記ロック具は、前記第１のコネクタ本体と前記第２のコネクタ本体とを互いに接近させることにより前記マットシールを圧縮した状態で、前記第１のコネクタ本体と前記第２のコネクタ本体との距離をロックするように構成され、
前記マットシールの前記各接続端子シール用挿通孔は、前記ロック具により前記マットシールを圧縮した状態に前記ロックが行われたときに縮径して、挿通している前記電線の全周に密着するように構成されたことを特徴とするコネクタ。
【請求項２】
前記ロック具は、
基端を前記第１のコネクタ本体と前記第２のコネクタ本体のいずれか一方に支持され、先端を前記マットシールに設けられるロック棒通し孔に挿通される複数のロック棒と、
前記各ロック棒の先端に設けられ、前記第１のコネクタ本体と前記第２のコネクタ本体のいずれか他方に設けられたロック孔に進入して係合するロック爪と、を有し、
前記ロック孔は、
前記第１のコネクタ本体と前記第２のコネクタ本体とが、前記マットシールを圧縮しないで挟んだ状態で、前記ロック爪と係合する第１の爪係止部と、
前記第１のコネクタ本体と前記第２のコネクタ本体とが、前記マットシールを前記圧縮した状態で、前記ロック爪と係合する第２の爪係止部と、を有することを特徴とする請求項１に記載のコネクタ。
【請求項３】
前記ロック孔が設けられた前記第１のコネクタ本体と前記第２のコネクタ本体のいずれか他方には、外方から前記ロック爪を押圧して該ロック爪と前記第２の爪係止部との係合を解除する解除棒差込孔を有することを特徴とする請求項２に記載のコネクタ。
【請求項４】
電線群と、
前記電線群を構成する各電線の端部に設けられた接続端子と、
請求項１ないし３のいずれか１項に記載のコネクタと、を備え、
前記コネクタの前記接続端子収容孔に前記接続端子を収容してから、前記マットシールを圧縮した状態で、前記ロック具により前記第１のコネクタ本体と前記第２のコネクタ本体との距離をロックした構成であることを特徴とするワイヤハーネス。
【発明の詳細な説明】
【技術分野】
【０００１】
本発明は、止水構造を有するコネクタおよびワイヤハーネスに関する。
【背景技術】
【０００２】
従来より、自動車のエンジンルーム内などに配索されるワイヤハーネスの接続手段として使用されるコネクタとしては、ハウジング内にシールマット（ワイヤシールともいう）が備えられ、電線群の各電線の端部に設けられた接続端子をシールマットに設けた孔に挿通してシールマットよりも奥側に収容し、かつシールマットの孔面を電線の周囲に密着させることにより、ハウジング内への水分の侵入を防止するコネクタが既に知られている（例えば、特許文献１参照）。
【０００３】
図９は、特許文献１の図２に示すコネクタの断面図と実質的に同一の図である。図９に示すコネクタ５０は、ハウジング５１と、ハウジング５１の入口の収容部に収容されるワイヤシール５２と、ワイヤシール５２のハウジング５１内からの脱出を防止するキャップフランジ５３とを備えている。各電線５４の端部に設けられた接続端子５５は、ワイヤシール５２のワイヤ挿通孔５６を押し開くように挿通され、抜け止め部５７を有する端子収容孔５８に収容され、オス端子５９と接続される。コネクタ５０は、ワイヤシール５２のワイヤ挿通孔５６の孔面部が電線５４に全周密着することにより、ワイヤシール５２よりもハウジング内方に水が浸入しないように止水する止水機能を有している。
【先行技術文献】
【特許文献】
【０００４】
【特許文献１】特開２０００−２４３５０６号公報
【発明の概要】
【発明が解決しようとする課題】
【０００５】
しかしながら、特許文献１に示す従来のコネクタ５０は、以下のような問題点があった。すなわち、従来のコネクタ５０は、接続端子５５をワイヤシール５２のワイヤ挿通孔５６を押し開くように挿通するので、ワイヤ挿通孔５６の後面にき裂や引きずり跡の凹条部が生じて、シール性が低下する恐れがあった。また、従来のコネクタ５０は、接続端子５５をワイヤシール５２のワイヤ挿通孔５６を押し開くように挿通する際に、ワイヤ挿通孔５６の孔面部の一部が千切れてワイヤシール５２よりもハウジング内方に持ち込まれ、接続端子５５とオス端子５９との間に介在して端子間の接触不良が生じる恐れがあった。また、従来のコネクタ５０は、電線５４に外方へのテンションが掛かることにより、ワイヤシール５２が電線５４側に撓んで接続端子５５の離脱方向の移動が生じて端子間の接触不良が生じる恐れがあった。さらに、従来のコネクタ５０は、電線５４の径が小さいと、電線５４の腰の強度が弱く、接続端子５５をワイヤシール５２のワイヤ挿通孔５６を押し開くように挿通した後、さらに電線５４を保持して接続端子５５を抜け止め部５７を有する端子収容孔５８に収容するように押し込むことが困難であるという問題があった。
【０００６】
本発明は、上述のような課題を解決するためになされたもので、接続端子をマットシールに抵抗無く挿通することができ、電線の径が小さく腰が弱くても接続端子を接続端子収容孔に確実に収容することができ、その後にマットシールの接続端子シール用挿通孔で電線を全周密着して止水が行えるコネクタおよびワイヤハーネスを提供することを目的とする。
【課題を解決するための手段】
【０００７】
本発明に係るコネクタは、上記目的達成のため、硬質樹脂で成形された第１のコネクタ本体および第２のコネクタ本体と、可撓性を有する樹脂で成形され、前記第１のコネクタ本体と前記第２のコネクタ本体に挟まれるマットシールと、前記第１のコネクタ本体と前記マットシールと前記第２のコネクタ本体とを重ねた状態で一体にロックするロック具と、を備え、前記第１のコネクタ本体は、電線群の各電線の端部に接続された接続端子を個別に挿通させる複数の接続端子挿通孔を有し、前記マットシールは、前記第１のコネクタ本体の前記各接続端子挿通孔に挿通される前記各接続端子を引き続いて挿通させる複数の接続端子シール用挿通孔を有し、前記第２のコネクタ本体は、前記マットシールの前記各接続端子シール用挿通孔に挿通される前記各接続端子を収容するとともに反対側から雄端子を挿入させる接続端子収容孔を有し、前記ロック具は、前記第１のコネクタ本体と前記第２のコネクタ本体とを互いに接近させることにより前記マットシールを圧縮した状態で、前記第１のコネクタ本体と前記第２のコネクタ本体との距離をロックするように構成され、前記マットシールの前記各接続端子シール用挿通孔は、前記ロック具により前記マットシールを圧縮した状態に前記ロックが行われたときに縮径して、挿通している前記電線の全周に密着するように構成されている。
【０００８】
この構成により、本発明に係るコネクタは、マットシールの各接続端子シール用挿通孔は、接続端子が第２のコネクタ本体の接続端子収容孔に収容されマットシールを圧縮した状態とされた際に、挿通している電線の全周に密着するよう縮径し止水する。これにより、接続端子をマットシールに抵抗無く挿通することができ、電線の径が小さく腰が弱くても接続端子を接続端子収容孔に確実に収容することができ、その後にマットシールの接続端子シール用挿通孔で電線を全周密着して止水を行うことができる。
【０００９】
また、本発明に係るコネクタでは、前記ロック具は、基端を前記第１のコネクタ本体と前記第２のコネクタ本体のいずれか一方に支持され、先端を前記マットシールに設けられるロック棒通し孔に挿通される複数のロック棒と、前記各ロック棒の先端に設けられ、前記第１のコネクタ本体と前記第２のコネクタ本体のいずれか他方に設けられたロック孔に進入して係合するロック爪と、を有し、前記ロック孔は、前記第１のコネクタ本体と前記第２のコネクタ本体とが、前記マットシールを圧縮しないで挟んだ状態で、前記ロック爪と係合する第１の爪係止部と、前記第１のコネクタ本体と前記第２のコネクタ本体とが、前記マットシールを前記圧縮した状態で、前記ロック爪と係合する第２の爪係止部と、を有する構成としてもよい。
【００１０】
この構成により、本発明に係るコネクタは、第１のコネクタ本体と第２のコネクタ本体とがマットシールを圧縮しないで挟んだ状態で、第１の爪係止部にロック爪が係合する状態と、第１のコネクタ本体と第２のコネクタ本体とがマットシールを圧縮した状態で、第２の爪係止部にロック爪が係合する状態と、を容易に作り出せるために、節度感を確実に得ることができる。
【００１１】
また、本発明に係るコネクタでは、前記ロック孔が設けられた前記第１のコネクタ本体と前記第２のコネクタ本体のいずれか他方には、外方から前記ロック爪を押圧して該ロック爪と前記第２の爪係止部との係合を解除する解除棒差込孔を有する構成としてもよい。
【００１２】
この構成により、本発明に係るコネクタは、解除棒差込孔から解除棒を差し込むことにより、ロック爪を押圧してロック爪と第２の爪係止部との係合を簡単に解除することができる。
【００１３】
また、本発明に係るワイヤハーネスは、上記目的達成のため、電線群と、前記電線群を構成する各電線の端部に設けられた接続端子と、上記のコネクタと、を備え、前記コネクタの前記接続端子収容孔に前記接続端子を収容してから、前記マットシールを圧縮した状態で、前記ロック具により前記第１のコネクタ本体と前記第２のコネクタ本体との距離をロックした構成である。
【００１４】
この構成により、本発明に係るワイヤハーネスは、第２のコネクタ本体の接続端子収容孔に接続端子を収容してから、マットシールを圧縮した状態で、ロック具により第１のコネクタ本体と第２のコネクタ本体との距離をロックすることにより、コネクタを得ることができる。
【発明の効果】
【００１５】
本発明によれば、接続端子をマットシールに抵抗無く挿通することができ、電線の径が小さく腰が弱くても接続端子を接続端子収容孔に確実に収容することができ、その後にマットシールの接続端子シール用挿通孔で電線を全周密着して止水が行えるコネクタおよびワイヤハーネスを提供することができる。
【図面の簡単な説明】
【００１６】
【図１】本発明の一実施の形態に係るコネクタの第１の係合状態を示す断面図である。
【図２】本発明の一実施の形態に係るコネクタの第２の係合状態を示す断面図である。
【図３】本発明の一実施の形態に係るコネクタの第２の係合状態の外観斜視図である。
【図４】本発明の一実施の形態に係るコネクタの分解斜視図である。
【図５】本発明の一実施の形態に係るコネクタの第１の係合状態の外観斜視図である。
【図６】本発明の一実施の形態に係るマットシールの断面図である。
【図７】図７（ａ）は、本発明の一実施の形態に係るマットシールの第１変形例の第１の係合状態の断面図、図７（ｂ）は、本発明の一実施の形態に係るマットシールの第１変形例の第２の係合状態の断面図である。
【図８】本発明の一実施の形態に係るマットシールの第２変形例の第１の係合状態の断面図である。
【図９】従来のコネクタの断面図である。
【発明を実施するための形態】
【００１７】
以下、本発明の一実施の形態について、図面を参照して説明する。
【００１８】
図１〜図８は、本発明に係るコネクタおよびワイヤハーネスの一実施の形態を示す図である。図１に示すように、コネクタ１は、第１のコネクタ本体２と、第２のコネクタ本体３と、マットシール４と、ロック具５と、を備えている。
【００１９】
第１のコネクタ本体２は、硬質樹脂で成形されており、電線群６の各電線７の端部に接続された接続端子８を個別に挿通させる複数の接続端子挿通孔２ａを有する。
【００２０】
第２のコネクタ本体３は、第１のコネクタ本体２と同様に硬質樹脂で成形されており、接続端子８に接続する雄端子９を挿入させる接続端子収容孔３ａを有する。
【００２１】
マットシール４は、第１のコネクタ本体２と第２のコネクタ本体３とに挟まれる可撓性を有する樹脂で成形されており、第１のコネクタ本体２の各接続端子挿通孔２ａに挿通される各接続端子８を引き続いて挿通させる複数の接続端子シール用挿通孔４ａを有する。
【００２２】
マットシール４の各接続端子シール用挿通孔４ａは、接続端子８が第２のコネクタ本体３の接続端子収容孔３ａに収容されマットシール４を圧縮した状態とされた際に、挿通している電線群６の全周に密着するよう縮径し止水する。
【００２３】
第２のコネクタ本体３の接続端子収容孔３ａには、マットシール４の各接続端子シール用挿通孔４ａに挿通される各接続端子８を収容するとともに反対側から接続端子８に接続する雄端子９を挿入させる。
【００２４】
ロック具５は、第１のコネクタ本体２と第２のコネクタ本体３とを互いに接近させることによりマットシール４を圧縮した状態で、第１のコネクタ本体２と第２のコネクタ本体３との距離をロックする。
【００２５】
ロック具５は、基端を第２のコネクタ本体３に支持されており、先端にマットシール４に設けられるロック棒通し孔４ｂに挿通される複数のロック棒５ａを有する。ロック棒５ａの先端には、第１のコネクタ本体２に設けられたロック孔２ｂに進入して係合するロック爪５ｂを有する。
【００２６】
ロック孔２ｂには、第１のコネクタ本体２と第２のコネクタ本体３とがマットシール４を圧縮しないで挟んだ状態で、ロック爪５ｂと係合する第１の爪係止部２ｃを有する。第１のコネクタ本体２と第２のコネクタ本体３とが、マットシール４を圧縮しないで挟んだ状態を第１の係合状態と言う。
【００２７】
ロック孔２ｂには、第１のコネクタ本体２と第２のコネクタ本体３とがマットシール４を圧縮した状態で、ロック爪５ｂと係合する第２の爪係止部２ｄを有する。第１のコネクタ本体２と第２のコネクタ本体３とが、マットシール４を圧縮した状態を第２の係合状態と言う。
【００２８】
また、ロック孔２ｂが設けられた第１のコネクタ本体２には、外方からロック爪５ｂを押圧してロック爪５ｂと第２の爪係止部２ｄとの係合を解除する解除棒差込孔２ｅを有する。
【００２９】
図１に示す第１の係合状態では、ロック具５のロック棒５ａに有するロック爪５ｂが第１の爪係止部２ｃに係合しているために、第１のコネクタ本体２と第２のコネクタ本体３とがマットシール４を圧縮しないで挟んだ状態である。
【００３０】
図２は、本発明の実施の形態に係るコネクタの第２の係合状態を示す断面図である。
図２に示すように、第１のコネクタ本体２と第２のコネクタ本体３とを互いに接近させてマットシール４を圧縮した状態で、ロック具５のロック棒５ａに有するロック爪５ｂが第２の爪係止部２ｄに係合する。
【００３１】
ここで、解除棒差込孔２ｅから不図示の解除棒を差し込むことにより、ロック爪５ｂを押圧してロック爪５ｂと第２の爪係止部２ｄとの係合を解除することができる。
【００３２】
図３に示すように、第１のコネクタ本体２と第２のコネクタ本体３とを互いに接近させてロック具５のロック棒５ａに有するロック爪５ｂが第２の爪係止部２ｄに係合させることにより、マットシール４は高さ方向に圧縮される。
【００３３】
図４に示すように、第１のコネクタ本体２と第２のコネクタ本体３とを互いに接近させる際に、ロック棒５ａは、マットシール４のロック棒通し孔４ｂに挿通された後に、ロック爪５ｂが第１のコネクタ本体２のロック孔２ｂに進入する。
【００３４】
図５に示すように、第１のコネクタ本体２と第２のコネクタ本体３とを互いに接近させてロック具５のロック棒５ａに有するロック爪５ｂが第１の爪係止部２ｃに係合させることにより、マットシール４は高さ方向に圧縮されない。
【００３５】
図６に示すように、マットシール４は、外方に弾性変形率の小さい弾性変形調整部材４ｃを有する。マットシール４は、圧縮された際に、図６中に仮想線で示すように、接続端子シール用挿通孔４ａが内径を小さくするように弾性変形する。そのため、接続端子シール用挿通孔４ａが電線７の外周に密着することにより電線７を止水する。このとき、弾性変形調整部材４ｃは、マットシール４の弾性変形に抗する。
【００３６】
図７（ａ）に示すように、本変形例のマットシール４は、接続端子シール用挿通孔４ａの孔方向に４分割された弾性変形調整部材４ｄを有する。
【００３７】
図７（ｂ）に示すように、マットシール４は、圧縮された際に、図７（ｂ）中に仮想線で示すように、各弾性変形調整部材４ｄの間でのみ、接続端子シール用挿通孔４ａが内径を小さくするように弾性変形する。そのため、接続端子シール用挿通孔４ａが電線７の外周に対して複数箇所で密着することにより電線７を止水する。
【００３８】
図８に示すように、本変形例のマットシール４は、接続端子シール用挿通孔４ａの片方にのみ切込み部４ｅを有する。そのため、マットシール４は、圧縮された際に、図８中に仮想線で示すように、接続端子シール用挿通孔４ａにおいて切込み部４ｅを除いた部分での孔方向に分割して内径を小さくするように弾性変形する。そのため、接続端子シール用挿通孔４ａが電線７の外周に対して複数箇所で密着することにより電線７を止水する。
【００３９】
コネクタ１は、第２のコネクタ本体３の接続端子収容孔３ａに接続端子８を収容してから、マットシール４を圧縮した状態で、ロック具５により第１のコネクタ本体２と第２のコネクタ本体３との距離をロックすることにより、ワイヤハーネス１００を構成する。
【００４０】
本実施の形態に係るコネクタ１によれば、マットシール４の各接続端子シール用挿通孔４ａは、接続端子８が第２のコネクタ本体３の接続端子収容孔３ａに収容されマットシール４を圧縮した状態とされた際に、挿通している電線７の全周に密着するよう縮径し止水する。これにより、接続端子８をマットシール４に抵抗無く挿通することができ、電線７の径が小さくても接続端子８を接続端子収容孔３ａに確実に収容することができ、その後にマットシール４の接続端子シール用挿通孔４ａで電線７を全周密着して止水を行うことができる。
【００４１】
また、本実施の形態に係るコネクタ１によれば、第１のコネクタ本体２と第２のコネクタ本体３とがマットシール４を圧縮しないで挟んだ状態で、第１の爪係止部２ｃにロック爪５ｂが係合する第１の係合状態と、第１のコネクタ本体２と第２のコネクタ本体３とがマットシール４を圧縮した状態で、第２の爪係止部２ｄにロック爪５ｂが係合する第２の係合状態と、を容易に作り出せるために、節度感を確実に得ることができる。
【００４２】
本実施の形態に係るコネクタ１によれば、解除棒差込孔２ｅから解除棒を差し込むことにより、ロック爪５ｂを押圧してロック爪５ｂと第２の爪係止部２ｄとの係合を簡単に解除することができる。
【００４３】
本実施の形態に係るワイヤハーネス１００によれば、第２のコネクタ本体３の接続端子収容孔３ａに接続端子８を収容してから、マットシール４を圧縮した状態で、ロック具５により第１のコネクタ本体２と第２のコネクタ本体３との距離をロックすることにより、コネクタ１を得ることができる。
【００４４】
本発明によれば、接続端子をシールマットの孔に抵抗無く挿通することができ、電線の径が小さく腰が弱くても接続端子をハウジング内方の端子収容孔に確実に収容することができ、その後にシールマットの孔面部で電線を全周密着して止水が行えるという効果を有し、自動車のエンジンルーム内などに配索されるワイヤハーネスの接続手段として使用される止水構造を有するコネクタおよびワイヤハーネスの全般に有用である。
【符号の説明】
【００４５】
１  コネクタ
２  第１のコネクタ本体
２ａ  接続端子挿通孔
２ｂ  ロック孔
２ｃ  第１の爪係止部
２ｄ  第２の爪係止部
２ｅ  解除棒差込孔
３  第２のコネクタ本体
３ａ  接続端子収容孔
４  マットシール
４ａ  接続端子シール用挿通孔
５  ロック具
５ａ  ロック棒
５ｂ  ロック爪
６  電線群
７  電線
８  接続端子
１００  ワイヤハーネス
【図１】
2016184544.tif 000003
【図２】
2016184544.tif 000004
【図３】
2016184544.tif 000005
【図４】
2016184544.tif 000006
【図５】
2016184544.tif 000007
【図６】
2016184544.tif 000008
【図７】
2016184544.tif 000009
【図８】
2016184544.tif 000010
【図９】
2016184544.tif 000011